(57)【特許請求の範囲】
【請求項１】
精算機の筐体の側面の少なくとも一部を外側から覆うように前記筐体の上端部において引っ掛けられた状態で前記筐体に前記筐体の外部から取り外し不可能に固定される精算機用プロテクタ。
【請求項２】
各々が前記筐体の側面の少なくとも一部を外側から覆うように前記筐体の上端部において引っ掛けられ、前記筐体に固定されない状態で分離可能な２以上の部材を備える請求項１に記載の精算機用プロテクタ。
【請求項３】
前記２以上の部材の少なくとも２つの部材は、前記筐体の上端部において引っ掛けられた状態で、互いに係合する係合部を備える
請求項２に記載の精算機用プロテクタ。
【請求項４】
前記筐体が有する掛止部に掛け止められる被掛止部を備える請求項１乃至３のいずれか１項に記載の精算機用プロテクタ。
【請求項５】
前記筐体の上面の上に載置された状態で前記筐体に固定され、前記精算機用プロテクタの部材を掛け止める掛止部材を備える
請求項１乃至３のいずれか１項に記載の精算機用プロテクタ。
【請求項６】
前記筐体の扉が開かれた状態で前記筐体の内側から固定される
請求項１乃至５のいずれか１項に記載の精算機用プロテクタ。
【請求項７】
精算機の筐体の側面の少なくとも一部を外側から覆うようにプロテクタを前記筐体の上端部において引っ掛ける工程と、
前記筐体の上端部において引っ掛けられた前記プロテクタを前記筐体の外部から取り外し不可能に固定する工程と
を備える精算機にプロテクタを取り付ける工法。
【請求項８】
掛止部を有する掛止部材を前記筐体の上面の上に載置した状態で前記筐体に固定する工程を備え、
前記引っ掛ける工程において、前記プロテクタが有する被掛止部を前記掛止部に対し掛止させる
請求項７に記載の工法。
【請求項９】
前記固定する工程において、前記筐体の扉が開かれた状態で前記筐体の内側から前記プロテクタを固定する
請求項７または８に記載の工法。
【発明の詳細な説明】
【技術分野】
【０００１】
本発明は、精算機を外部からの破壊から保護するためのプロテクタに関する。
【背景技術】
【０００２】
駐車料金精算機、道路通行料精算機等の各種精算機がある。例えば、飲料等の自動販売機も商品代金の自動精算を行う精算機の一種である。精算機は金銭を収納しているため、金銭を盗む目的で外部から破壊される危険性がある。
【０００３】
そのような外部からの破壊から精算機本体を保護し、金銭の盗難を防止するための技術を提案する文献として、例えば特許文献１および特許文献２がある。特許文献１には、単一部材として構成された取付ベースの上面中央部に精算機本体を載置して固定するとともに、精算機本体の周囲を覆うように取付ベースの上面の外周部にプロテクタを載置して固定することで、容易に設置可能とした精算機が提案されている。
【０００４】
また、特許文献２には、略コ字状に形成された補強部材にベース部材を収納した状態でベース部材とともに補強部材をアンカーおよびナットで基礎部に固定した後、ベース部材の上に精算機を載置し、精算機の側面と補強部材を締結ボルトで締結することで、複雑な施工を伴わず、引き倒しによる精算機の破壊や精算機の底面からの金銭の抜き取り等から精算機を保護する精算機の設置構造が提案されている。
【先行技術文献】
【特許文献】
【０００５】
【特許文献１】特開２００３−８５６０６号公報
【特許文献２】特開２００５−１８４５５号公報
【発明の概要】
【発明が解決しようとする課題】
【０００６】
特許文献１に提案されている精算機の設置構造によれば、引き倒し等による精算機の破壊が困難となる。ただし、特許文献１に提案されているプロテクタの設置には、アンカー施工等のある程度の大掛かりな施工を要する。
【０００７】
精算機に対し試みられる破壊行為の種別や程度は精算機の種別や設置場所等によって異なる。例えば、狭所や人通りの多い場所に配置された精算機等は、車両等を用いた引き倒しが困難なので、必ずしも大掛かりな施工を要するプロテクタを必要としない。
【０００８】
本発明は上記の事情に鑑み、精算機へのプロテクタの取付作業を容易とする手段の提供を目的とする。
【課題を解決するための手段】
【０００９】
上述した課題を解決するために、本発明は、精算機の筐体の側面の少なくとも一部を外側から覆うように前記筐体の上端部において引っ掛けられた状態で前記筐体に前記筐体の外部から取り外し不可能に固定される精算機用プロテクタを第１の態様として提供する。
【００１０】
第１の態様の精算機用プロテクタによれば、アンカー施工等の比較的大掛かりな施工を要すことなく、精算機に対し容易にプロテクタの取り付けを行うことができる。
【００１１】
第１の態様の精算機用プロテクタにおいて、各々が前記筐体の側面の少なくとも一部を外側から覆うように前記筐体の上端部において引っ掛けられ、前記筐体に固定されない状態で分離可能な２以上の部材を備える、という構成が第２の態様として採用されてもよい。
【００１２】
第２の態様の精算機用プロテクタによれば、分離された部材を順次、精算機の筐体に掛けてゆくことで精算機に対するプロテクタの取り付けを行うことができる。そのため、プロテクタの取り付け作業に多くの人員を要さない。
【００１３】
第２の態様の精算機用プロテクタにおいて、前記２以上の部材の少なくとも２つの部材は、前記筐体の上端部において引っ掛けられた状態で、互いに係合する係合部を備える、という構成が第３の態様として採用されてもよい。
【００１４】
第３の態様の精算機用プロテクタによれば、精算機の筐体にプロテクタを掛け止める留めるための掛止部がない場合であっても、精算機の筐体に掛けたプロテクタの部材が互いに係合されることで、筐体に固定前のプロテクタの誤脱落が防止される。
【００１５】
第１乃至第３のいずれかの態様の精算機用プロテクタにおいて、前記筐体が有する掛止部に掛け止められる被掛止部を備える、という構成が第４の態様として採用されてもよい。
【００１６】
第４の態様の精算機用プロテクタによれば、精算機の掛止部にプロテクタの被掛止部を掛け止めることで、筐体に固定前のプロテクタの誤脱落が防止される。
【００１７】
第１乃至第３のいずれかの態様の精算機用プロテクタにおいて、前記筐体の上面の上に載置された状態で前記筐体に固定され、前記精算機用プロテクタの部材を掛け止める掛止部材を備える、という構成が第５の態様として採用されてもよい。
【００１８】
第５の態様の精算機用プロテクタによれば、精算機の筐体にプロテクタを掛け止める留めるための掛止部がない場合であっても、精算機に掛止部材を取り付け、当該掛止部材にプロテクタを掛け止めることで、筐体に固定前のプロテクタの誤脱落が防止される。
【００１９】
第１乃至第５のいずれかの態様の精算機用プロテクタにおいて、前記筐体の扉が開かれた状態で前記筐体の内側から固定される、という構成が第６の態様として採用されてもよい。
【００２０】
第６の態様の精算機用プロテクタによれば、筐体の扉を施錠することで、筐体に固定されたプロテクタを容易に取り外せなくすることができる。
【００２１】
また、本発明は、精算機の筐体の側面の少なくとも一部を外側から覆うようにプロテクタを前記筐体の上端部において引っ掛ける工程と、前記筐体の上端部において引っ掛けられた前記プロテクタを前記筐体の外部から取り外し不可能に固定する工程とを備える精算機にプロテクタを取り付ける工法を第７の態様として提供する。
【００２２】
第７の態様の工法によれば、アンカー施工等の比較的大掛かりな施工を要すことなく、精算機に対し容易にプロテクタの取り付けを行うことができる。
【００２３】
第７の態様の工法において、掛止部を有する掛止部材を前記筐体の上面の上に載置した状態で前記筐体に固定する工程を備え、前記引っ掛ける工程において、前記プロテクタが有する被掛止部を前記掛止部に対し掛止させる、という構成が第８の態様として採用されてもよい。
【００２４】
第８の態様の工法によれば、プロテクタを掛け止める留めるための掛止部がない精算機の筐体にプロテクタの掛け止めが行われるため、筐体に固定前のプロテクタの誤脱落が防止される。
【００２５】
第７または第８の態様の工法において、前記固定する工程において、前記筐体の扉が開かれた状態で前記筐体の内側から前記プロテクタを固定する、という構成が第９の態様として採用されてもよい。
【００２６】
第９の態様の工法によれば、筐体の扉を開くことで、筐体に対しプロテクタを容易に固定することができ、扉の施錠によりプロテクタを筐体から取り外し不可能とすることができる。
【図面の簡単な説明】
【００２７】
【図１】一実施形態にかかる精算機用プロテクタの精算機に対する取り付け前の状態を示した図。
【図２】一実施形態にかかる掛止プレートが精算機本体部に取り付けられる様子を示した図。
【図３】一実施形態にかかる右側部材が掛止プレートに掛け止められる様子を示した図。
【図４】一実施形態にかかる左側部材が掛止プレートに掛け止められる様子を示した図。
【図５】一実施形態にかかる右側部材および左側部材が掛けられている状態の精算機本体部を水平面で切断した場合の断面を上から見た図。
【図６】一実施形態にかかる前側部材が右側部材および左側部材に掛け止められる様子を示した図。
【図７】一実施形態にかかる精算機用プロテクタが取り付けられた状態の精算機を示した図。
【図８】一変形例にかかる右側部材および左側部材を例示した図。
【図９】一変形例にかかる固定部材を例示した図。
【発明を実施するための形態】
【００２８】
［実施形態］
以下に本発明の一実施形態にかかる精算機用プロテクタ１を説明する。図１は精算機用プロテクタ１の取り付け対象である精算機９と、精算機９に取り付け前の精算機用プロテクタ１の状態を示した図である。精算機用プロテクタ１は、精算機９の天板の上に取り付けられる掛止プレート１１（掛止部材の一例）と、精算機９の正面に向かって右側面と背面の右側を覆う右側部材１２と、精算機９の正面に向かって左側面と背面の左側を覆う左側部材１３と、精算機９の正面を覆う前側部材１４を備える。なお、以下の説明において、左右をいう場合、精算機９に向かっての左右をいうものとする。
【００２９】
精算機９は、精算機本体部９１と、扉９２と、精算機本体部９１の天板を上から覆うトップカバー９３を備える。本実施形態においては、例として、扉９２は左縁部において蝶番により精算機本体部９１に取り付けられている（左開き）が、扉９２の開き方はこれに限られず、例えば右開きであってもよい。
【００３０】
以下に、精算機９に精算機用プロテクタ１を取り付ける工程を説明する。作業員は、まず、精算機本体部９１に取り付けられているトップカバー９３を取り外す。トップカバー９３は扉９２を開いた状態で精算機本体部９１の筐体内部から上向きに複数のボルトにより固定されている。作業員はこれらのボルトを緩めてトップカバー９３を精算機本体部９１から取り外す。
【００３１】
続いて、作業員は精算機本体部９１の天板の上に掛止プレート１１を載せる。図２は、掛止プレート１１が精算機本体部９１に取り付けられる様子を示した図である。精算機本体部９１の天板上には、位置合わせのための定位ピン９１１が設けられている。掛止プレート１１には、定位ピン９１１の位置に対応する位置に、定位ピン９１１が嵌り込む定位孔１１１が設けられている。作業員は定位孔１１１に定位ピン９１１が嵌り込むように、掛止プレート１１を精算機本体部９１の天板の上に載せる。
【００３２】
続いて、作業員は掛止プレート１１の上にトップカバー９３を載せ、扉９２を開いた状態で精算機本体部９１の筐体内部から上向きに複数のボルトによりトップカバー９３を固定する。これにより、掛止プレート１１が精算機本体部９１とトップカバー９３に挟み込まれる形で精算機９に取り付けられる。
【００３３】
上述の精算機本体部９１に対する掛止プレート１１およびトップカバー９３の取り付けを可能とするために、精算機本体部９１の天板には、トップカバー９３を取り付けるためのボルトが貫通するネジ孔９１２が設けられている。また、掛止プレート１１のネジ孔９１２と対応する位置にも、同じくトップカバー９３を取り付けるためのボルトが貫通するネジ孔１１２が設けられている。また、トップカバー９３の下側面には、ネジ孔９１２およびネジ孔１１２に対応する位置にボルトがねじ込まれるナット（図示略）が設けられている。このナットにボルトがねじ込まれることによって、精算機本体部９１に対する掛止プレート１１およびトップカバー９３の固定が行われる。
【００３４】
続いて、作業員は掛止プレート１１に右側部材１２を掛け止める。図３は、右側部材１２が掛止プレート１１に掛け止められる様子を示した図である。ただし、図３においては掛止プレート１１が見えるように、便宜的にトップカバー９３の図示を行っていない。
【００３５】
掛止プレート１１の右側縁部と背面側縁部の右側には、右側部材１２を掛止するための掛止孔１１３（掛止部の一例）が設けられている。また、右側部材１２の上左側縁部と上背面側縁部には、掛止孔１１３に対応した位置に、掛止プレート１１に掛止される被掛止鉤１２１（被掛止部の一例）が設けられている。作業員は被掛止鉤１２１を掛止孔１１３に嵌め込んで掛止プレート１１に右側部材１２を掛け止める。
【００３６】
続いて、作業員は掛止プレート１１に左側部材１３を掛け止める。図４は、左側部材１３が掛止プレート１１に掛け止められる様子を示した図である。図４において、掛止プレート１１が見えるように、便宜的にトップカバー９３の図示を行っていない点は図３と同様である。また、図５は掛止プレート１１を介して右側部材１２および左側部材１３が掛けられている状態の精算機本体部９１を水平面で切断した場合の断面を上から見た図である。
【００３７】
掛止プレート１１の左側縁部と背面側縁部の左側には、左側部材１３を掛止するための掛止孔１１４（掛止部の一例）が設けられている。また、左側部材１３の上右側縁部と上背面側縁部には、掛止孔１１４に対応した位置に、掛止プレート１１に掛止される被掛止鉤１３１（被掛止部の一例）が設けられている。また、左側部材１３の前面右側縁部には、背面に向かい突起するネジ孔プレート１３３が設けられている。ネジ孔プレート１３３には左側部材１３をボルトで精算機本体部９１の筐体に取り付けるためのネジ孔が設けられている。作業員は、扉９２を開いた状態でネジ孔プレート１３３を扉９２と精算機本体部９１の連結部分の隙間に嵌め入れた後、被掛止鉤１３１を掛止孔１１４に嵌め込んで掛止プレート１１に左側部材１３を掛け止める。
【００３８】
続いて、作業員は、右側部材１２と左側部材１３の連結を行う。右側部材１２の背面側の板の左側部材１３と対向する側面上には、係合孔１２２（図３）が設けられている。また、左側部材１３の背面側の板の右側部材１２と対向する側面上には、係合孔１２２に対応した位置に、係合ピン１３２が設けられている（図４）。作業員は、掛止プレート１１に掛け止められた右側部材１２を左側部材１３に押し付けるように移動することで、係合孔１２２に係合ピン１３２を嵌め込ませる。これにより、右側部材１２と左側部材１３が連結される。
【００３９】
続いて、作業員は、扉９２を開いた状態で精算機本体部９１の筐体内部から、右側部材１２を精算機本体部９１の筐体に対しボルトで固定する。右側部材１２の前面左側縁部には、背面に向かい突起するネジ孔プレート１２３が設けられている（図５）。ネジ孔プレート１２３には右側部材１２をボルトで精算機本体部９１の筐体に取り付けるための、ネジ谷の切られたネジ孔が設けられている。精算機本体部９１の筐体には、ネジ孔プレート１２３に設けられたネジ孔に連通する位置にネジ孔が設けられている。作業員はこれらのネジ孔にボルトを通して込むことで、右側部材１２を精算機本体部９１の筐体に取り付ける。
【００４０】
続いて、作業員は、扉９２を開いた状態で精算機本体部９１の筐体内部から、左側部材１３を精算機本体部９１の筐体に対しボルトで固定する。精算機本体部９１の筐体には、ネジ孔プレート１３３に設けられたネジ孔に連通する位置に連通するネジ谷の切られたネジ孔が設けられている。作業員はこれらのネジ孔にボルトを通してねじ込むことで、左側部材１３を精算機本体部９１の筐体に取り付ける。
【００４１】
続いて、作業員は扉９２を閉じて扉９２の施錠を行った後、右側部材１２および左側部材１３に対し前側部材１４を掛け止める。図６は、前側部材１４が右側部材１２および左側部材１３に掛け止められる様子を示した図である。
【００４２】
右側部材１２の前面には掛止孔１２４と、施錠孔１２５が設けられている（図４）。また、左側部材１３の前面には掛止孔１３４が設けられている。前側部材１４の背面右側（図６における左側）には、掛止孔１２４に対応する位置に被掛止鉤１４１が設けられている。また、前側部材１４の背面右側（図６における左側）には、施錠孔１２５に対応する位置に施錠板１４２が配置されている。施錠板１４２は外部から鍵により回転可能となっている。前側部材１４の背面左側（図６における右側）には、掛止孔１３４に対応する位置に被掛止鉤１４３が設けられている。
【００４３】
作業員は、鍵により施錠板１４２を解錠位置にした状態で、掛止孔１２４に被掛止鉤１４１を、施錠孔１２５に施錠板１４２を、掛止孔１３４に被掛止鉤１４３を、各々嵌め込んで、前側部材１４を右側部材１２および左側部材１３に掛け止める。その後、作業員が鍵により施錠板１４２を施錠位置に回転すると、精算機９に対する精算機用プロテクタ１の取り付け作業が完了する。図７は、精算機用プロテクタ１が取り付けられた状態の精算機９を示した図である。
【００４４】
上述した精算機用プロテクタ１によれば、アンカー施行等の大掛かりな施行を要することなく、精算機９をプロテクタにより保護することができる。また、複数に分割された部材を順次、精算機９に掛け止めていくことで精算機用プロテクタ１を精算機９の所定位置に配置することができるため、取り付けに要する作業員は例えば１名のように少数で済む。従って、プロテクタを精算機９に被せるために、例えば小型クレーン等を用いる必要がなく、精算機９の設置場所が狭所であっても、プロテクタの取り付けを行うことができる。
【００４５】
［変形例］
上述した実施形態は様々に変形することができる。以下にそれらの変形の例を示す。なお、上述した実施形態および以下に示す変形例は適宜組み合わされてもよい。
【００４６】
［第１変形例］
上述した実施形態においては、掛止プレート１１を精算機９の筐体に取り付けることにより、右側部材１２等の精算機用プロテクタ１の部材を精算機９の筐体に掛け止めることを可能とする構成が採用されている。これに代えて、精算機９の筐体に予め掛止部を設け、右側部材１２等の精算機用プロテクタ１の部材を当該掛止部に掛け止める構成が採用されてもよい。
【００４７】
［第２変形例］
右側部材１２等の精算機用プロテクタ１の部材を精算機９の筐体に掛け止めるための掛止部の位置は精算機９の筐体の天板上に限られない。例えば、精算機９の筐体の側面上において精算機用プロテクタ１の部材が精算機９の筐体に対し掛け止められてもよい。
【００４８】
［第３変形例］
上述した実施形態においては、右側部材１２等の精算機用プロテクタ１の部材は精算機９の筐体に対し固定される前に、掛止プレート１１を介して筐体に掛け止められる。精算機用プロテクタ１の部材は、筐体に対し固定される前に筐体に重量を支えられた状態で安定すればよく、筐体に対し止められなくてもよい。すなわち、精算機用プロテクタ１の部材は必ずしも精算機９の筐体に対し掛止される必要はなく、筐体に掛けられればよい。
【００４９】
図８は、掛止プレート１１に掛け止められることなく、精算機本体部９１の天板上に掛けられた（載せ置かれた）状態で精算機本体部９１の筐体に対し固定される構成の右側部材１２および左側部材１３を例示した図である。図８に例示の右側部材１２には、精算機本体部９１の天板上で左側部材１３と重なり合う部分に係合ピン１２６（係合部の一例）が設けられている。また、図８に例示の左側部材１３には、精算機本体部９１の天板上で右側部材１２と重なり合う部分の係合ピン１２６に対応した位置に、係合孔１３５（係合部の一例）が設けられている。
【００５０】
作業員は、精算機本体部９１の天板上に右側部材１２の上面を載せ置いた後、係合ピン１２６を係合孔１３５に嵌め込むように精算機本体部９１の天板上に左側部材１３の上面を載せ置く。その結果、右側部材１２と左側部材１３が精算機本体部９１に掛けられた状態で安定する。また、右側部材１２と左側部材１３が係合ピン１２６と係合孔１３５の係合により連結されるため、右側部材１２および左側部材１３が精算機９の筐体に固定される前に作業員等が右側部材１２または左側部材１３にぶつかる等により、これらの部材が誤落下することがない。作業員は、上記のように精算機９の筐体に掛けられた状態の右側部材１２および左側部材１３をボルト等で筐体に固定する。
【００５１】
なお、図８に例示の右側部材１２および左側部材１３は係合ピン１２６および係合孔１３５により連結されるが、係合ピン１２６および係合孔１３５を備えず、単に図８に例示の形状の右側部材１２および左側部材１３が精算機９の筐体に掛けられた状態で筐体に対し固定されてもよい。
【００５２】
［第４変形例］
上述した実施形態においては、精算機９の筐体に対する精算機用プロテクタ１の固定はボルトのねじ込みによるものとしたが、精算機用プロテクタ１を精算機９の筐体に対し外部から取り外し不可能に固定する限り、どのような固定方法が採用されてもよい。例えば、図９に示すように、精算機用プロテクタ１の内側に傘状ピン１１９を設け、精算機９の筐体の傘状ピン１１９に対応する位置に設けられたピン受孔９９に対し傘状ピン１１９を押し込むことで精算機９の筐体に対する精算機用プロテクタ１の固定が行われてもよい。
【００５３】
［第５変形例］
上述した実施形態においては、精算機用プロテクタ１は複数の部材により構成される。これに代えて、精算機用プロテクタ１が１つの部材により構成されてもよい。この変形例においては、作業員は、精算機９の上から精算機用プロテクタ１を被せて、精算機用プロテクタ１を精算機９の筐体に掛けることになる。
【００５４】
以上の実施形態および変形例で説明された構成、形状、大きさ、配置関係、数量等については本発明が理解・実施できる程度に概略的に示したものにすぎない。従って本発明は、 説明された実施形態に限定されるものではなく、特許請求の範囲に示される技術的思想の範囲を逸脱しない限り様々な形態に変更することができる。
【符号の説明】
【００５５】
１…精算機用プロテクタ、９…精算機、１１…掛止プレート、１２…右側部材、１３…左側部材、１４…前側部材、９１…精算機本体部、９２…扉、９３…トップカバー、９９…ピン受孔、１１１…定位孔、１１２…ネジ孔、１１３…掛止孔、１１４…掛止孔、１１９…傘状ピン、１２１…被掛止鉤、１２２…係合孔、１２３…ネジ孔プレート、１２４…掛止孔、１２５…施錠孔、１２６…係合ピン、１３１…被掛止鉤、１３２…係合ピン、１３３…ネジ孔プレート、１３４…掛止孔、１３５…係合孔、１４１…被掛止鉤、１４２…施錠板、１４３…被掛止鉤、９１１…定位ピン、９１２…ネジ孔
【図１】
0006357369.tif 000002
【図２】
0006357369.tif 000003
【図３】
0006357369.tif 000004
【図４】
0006357369.tif 000005
【図５】
0006357369.tif 000006
【図６】
0006357369.tif 000007
【図７】
0006357369.tif 000008
【図８】
0006357369.tif 000009
【図９】
0006357369.tif 000010